(57)【要約】【課題】樹脂で成形されたレンズ収容部に線状弾性部材がインサート成形されたアクチュエータ装置において、プリントコイルと線状弾性部材を電気的に接続する際に、レンズ収容部の熱的なダメージが少なくなるようにする。【解決手段】レンズホルダ９に線状弾性部材１１がインサート成形されたアクチュエータ装置３において、レンズホルダ９の長手方向の側面に取り付けられたプリントコイル７と線状弾性部材１１とを電気的に接続する際に、レンズホルダ９の箱部９ｈに柱状部９ｆ設け、線状弾性部材１１のプリントコイル７との接続部１１ｃを柱状部９ｆの表面に設ける。【選択図】図４
2008103002.tif 000002
【特許請求の範囲】
【請求項１】
対物レンズと、樹脂で成形されかつ該対物レンズを収容するレンズ収容部と、前記レンズ収容部を挟んで当該レンズ収容部の側面に取り付けられた一対のコイル部と、前記レンズ収容部と一体に成形されるとともに前記コイル部と電気的に接続される線状弾性部材と、を備えたアクチュエータ装置において、
前記レンズ収容部が、前記対物レンズを収容する箱部と、この箱部から突出して前記線状弾性部材の振動を抑制する振動抑制部とを備え、
前記線状弾性部材の前記コイル部との接続部が、前記箱部に設けられたことを特徴とするアクチュエータ装置。
【請求項２】
前記箱部に柱状部が設けられ、該柱状部に前記線状弾性部材の前記コイル部との接続部を設けたことを特徴とする請求項１に記載のアクチュエータ装置。
【請求項３】
前記レンズ収容部に、該レンズ収容部の重心を前記対物レンズのレンズ中心と略等しくするような重心調節部を備えたことを特徴とする請求項２に記載のアクチュエータ装置。
【請求項４】
前記重心調節部が、前記柱状部と前記レンズ収容部の重心を挟んで相対する位置に設けられた第２柱状部であることを特徴とする請求項３に記載のアクチュエータ装置。
【請求項５】
前記重心調節部が、前記柱状部と前記レンズ収容部の重心を挟んで設けられ振動抑制部の前記箱部寄りの端部であることを特徴とする請求項３に記載のアクチュエータ装置。
【請求項６】
前記振動抑制部が、前記箱部寄りの端部と、前記線状弾性部材の線状部と接続する先端部とを、前記レンズ収容部の重心を挟むように設けられることを特徴とする請求項５に記載のアクチュエータ装置。
【請求項７】
請求項１乃至６のいずれか一項に記載のアクチュエータ装置を備えた光ピックアップ装置。
【発明の詳細な説明】
【技術分野】
【０００１】
本発明は、光ディスク再生装置などに使用される光ピックアップ装置および、該光ピックアップ装置に使用され対物レンズをフォーカスおよびトラッキング方向に駆動するアクチュエータ装置に関する。
【背景技術】
【０００２】
光ディスク再生装置などに使用される光ピックアップ装置は、ＣＤ（Compact Disk）やＤＶＤ（Digital Versatile Disk）などの光ディスクに記録された情報を読み取るために、光ディスクの反りや振れに対して光ディスクの記録面と対物レンズとの距離を制御するフォーカス制御と、光ディスクのトラックの偏心に対して対物レンズを追従するように制御するトラッキング制御を行っている。
【０００３】
光ピックアップ装置は、例えば、特許文献１に示すように、対物レンズを内蔵し、両側面にプリントコイルが固定されたレンズホルダと、線状弾性部材でレンズホルダに連結しレンズホルダを移動可能に支持したアクチュエータベースとからなるアクチュエータ装置と、ヨーク、光源、コリメータレンズ、ビームスプリッタ、ピックアップボディなどから構成されている。
【０００４】
アクチュエータ装置のレンズホルダとアクチュエータベースは樹脂で成形されており、アクチュエータ装置のレンズホルダとアクチュエータベースを成形する際に線状弾性部材も一体にインサート成形される。そして、線状弾性部材は、プリントコイルに電気的に接続されており、線状弾性部材に外部からフォーカス駆動電流またはトラッキング駆動電流を供給することで、プリントコイルにフォーカス駆動力やトラッキング駆動力を発生させて光ディスクから信号が正確に読み取れるようにしている。
【特許文献１】特開２００１−２２９５５５号公報
【発明の開示】
【発明が解決しようとする課題】
【０００５】
上述した特許文献１に記載されたレンズ駆動装置は、線状弾性部材とプリントコイルとの接続部をプリントコイルの両端部に設けていた。
【０００６】
レンズホルダの両端には線状弾性部材の振動を吸収するために細く形成されたアームが設けられ、線状弾性部材とレンズホルダおよびアクチュエータベースは、一体に成形される際に対物レンズが固定されるレンズホルダに傾きが発生しないように線状弾性部材はレンズホルダの両端部（外側）に配置することが多い。従ってアームの近くにプリントコイルと線状弾性部材との接続部が設けられることが多かった。
【０００７】
しかしながら、線状弾性部材とプリントコイルを電気的に接続するためにはんだ付けを行う際には、樹脂体積の小さいアーム部分が高温に晒されることになり、樹脂の熱容量が小さいために変形など熱的なダメージが伝わり易かった。特に小型のピックアップ装置ではアームを太くするなどの対策が取れないために問題が発生し易かった。
【０００８】
そこで、本発明は、例えば、樹脂で成形されたレンズ収容部にプリントコイルおよび線状弾性部材を備えたアクチュエータ装置において、プリントコイルと線状弾性部材を電気的に接続する際に、レンズ収容部の熱的なダメージが少なくなるようなアクチュエータ装置およびピックアップ装置を提供することを課題とする。
【課題を解決するための手段】
【０００９】
上記課題を解決するために、請求項１に記載の発明は、対物レンズと、樹脂で成形されかつ該対物レンズを収容するレンズ収容部と、前記レンズ収容部を挟んで当該レンズ収容部の側面に取り付けられた一対のコイル部と、前記レンズ収容部と一体に成形されるとともに前記コイル部と電気的に接続される線状弾性部材と、を備えたアクチュエータ装置において、前記レンズ収容部が、前記対物レンズを収容する箱部と、この箱部から突出して前記線状弾性部材の振動を抑制する振動抑制部とを備え、前記線状弾性部材の前記コイル部との接続部が、前記箱部に設けられたことを特徴としている。
【発明を実施するための最良の形態】
【００１０】
以下、本発明の一実施形態にかかるアクチュエータ装置を説明する。本発明の一実施形態にかかるアクチュエータ装置は、コイル部と、レンズ収容部と一体に成形された線形弾性部材と、を電気的に接続する際に、線形弾性部材の接続部が、レンズ収容部の箱部に設けられている。このようにすることによって、接続部付近のレンズ収容部の樹脂体積が増加して熱容量が大きくなることから線形弾性部材とコイル部の接続時における高温による温度ダメージを少なくすることができる。
【００１１】
また、箱部に柱状部を設け、該柱状部に線状弾性部材のコイル部との接続部を設けてもよい。このようにすることによって、柱状部は樹脂体積を大きくすることができるので、熱容量を大きくすることができ、線形弾性部材とコイル部の接合時における高温による温度ダメージを少なくすることができる。
【００１２】
また、レンズ収容部に、該レンズ収容部の重心を対物レンズのレンズ中心と略等しくするような重心調節部を設けてもよい。このようにすることによって、箱部に線状弾性部材の前記コイル部との接続部を設けたことによるレンズ収容部の重心のずれが発生してもそれを解消することができる。
【００１３】
また、重心調節部が、柱状部とレンズ収容部の重心を挟んで相対する位置に設けられた第２柱状部であってもよい。このようにすることによって、箱部に線状弾性部材のコイル部との接続部を設けたことによるレンズ収容部の重心のずれが発生してもそれを解消すことができる。
【００１４】
また、重心調節部が、重心を挟んで設けられ振動抑制部の柱状部とレンズ収容部の箱部寄りの端部であってもよい。このようにすることによって、振動抑制部に、重心調節部の機能を持たせることができるので、重心調節部のみの部分を成形する必要が無くなる。
【００１５】
また、振動抑制部が、箱部寄りの端部と、線状弾性部材の線状部と接続する先端部とを、レンズ収容部の重心を挟むように設けられてもよい。このようにすることによって、装置の小型化等で振動抑制部の箱部からの突出量が制限されても振動抑制部の長さをより長く構成することができるので、重心バランスをとりつつ、線状弾性部材の振動を減衰させる効果を向上させることができる。
【００１６】
また、光ピックアップ装置に請求項１乃至６のいずれか一項に記載のアクチュエータ装置を備えてもよい。このようにすることによって、光ピックアップに、コイル部と線形弾性部材との接合時に熱によるダメージが少なく、重心バランスに優れるとともに線状弾性部材の不要な振動を抑えたアクチュエータ装置を備えることができる。したがって光ピックアップが光ディスクからの信号を精度良く読み取ることができる。
【実施例１】
【００１７】
本発明の第１の実施例にかかるピックアップ装置１を図１ないし図５を参照して説明する。ピックアップ装置１は、ＣＤ、ＤＶＤ等の光ディスク再生装置などに用いられ、光ディスクに記録された情報を読み取るために、光ディスクの反りや振れに対して光ディスクの記録面と対物レンズとの距離を制御するフォーカス制御と、光ディスクのトラックの偏心に対して対物レンズを追従するように制御するトラッキング制御を行う。図１は本発明の第１の実施例にかかるピックアップ装置１の要部斜視図である。ピックアップ装置１は図１に示すようにピックアップケース２と、アクチュエータ装置３と、を備えている。
【００１８】
ピックアップケース２は、アクチュエータ装置３が固定されるとともに、図示しない光源、コリメータレンズ、ビームスプリッタなどの光学部品が収容されている。また、ピックアップケース２は、図示しないモータやモータからの駆動力を伝達するリードスクリューなどによって、図１に示す軸２０上を光ディスクの径方向に沿って移動可能となっている。
【００１９】
アクチュエータ装置３は、図２に示すように、アクチュエータケース４と、アクチュエータ可動部５と、を備えている。
【００２０】
アクチュエータケース４は、アクチュエータ可動部５の後述するレンズホルダ９をフォーカスやトラッキング方向に移動させるためのマグネットなどが含まれ、アクチュエータ可動部５のうち後述するホルダサスペンション８のサスペンションベース部１０が固定されている。
【００２１】
アクチュエータ可動部５は、図２と図３および図４に示すように、対物レンズ６と、プリントコイル７と、ホルダサスペンション８と、を備えている。
【００２２】
対物レンズ６は、光源から発せられ光学部品を経由してきた光を光ディスクに照射することおよび光ディスクから反射された光を光学部品へ出力するためのレンズである。
【００２３】
コイル部としてのプリントコイル７は、ホルダサスペンション８のレンズホルダ９を挟んでレンズホルダ９の長手方向の側面に一対が接着剤などで取り付けられる。プリントコイル７は、基板上にコイルの配線パターンが形成されたものであり、フォーカス制御用のコイルとトラッキング制御用のコイルが夫々形成されている。また、プリントコイル７には、後述する線状弾性部材１１とはんだ付けにて電気的に接続するためのランド７ａが線状弾性部材１１の接続部に対応する位置に設けられている。
【００２４】
ホルダサスペンション８は図３および図４に示すようにレンズホルダ９と、サスペンションベース部１０と、線状弾性部材１１と、を備えている。ここで、図４は図３のＺ方向、すなわち図３を表面とした場合の裏面から見た斜視図である。
【００２５】
レンズ収容部としてのレンズホルダ９は、例えばＬＣＰ（液晶ポリマ）等の樹脂によって略箱型に成形され、略箱型の箱部９ｈと、箱部９ｈの端部から突出した振動抑制部としての固定アーム部９ｄと凸部９ｅから構成されている。箱部９ｈの天面部９ａの略中央には対物レンズ６を設置するための開口孔９ｂが設けられている。また、箱部９ｈは、天面部９ａの裏面から箱部９ｈの底面部９ｃに向かって立設された柱状部９ｆが設けられている。
【００２６】
サスペンションベース部１０は、レンズホルダ９と同様に例えばＬＣＰ（液晶ポリマ）等の樹脂によって略箱型に成形されている。サスペンションベース部１０は、アクチュエータ装置３をピックアップケース２にネジなどによって固定するための固定部１０ａが端部に設けられている。サスペンションベース部１０の両端部には線状弾性部材１１を固定するための線状弾性部材固定部１０ｂが設けられている。
【００２７】
線状弾性部材１１は、例えば銅合金などの弾性力を備えるとともに導電性の良い部材で形成されサスペンションベース部１０の線状弾性部材固定部１０ｂとレンズホルダ９の固定アーム部９ｄとを結びレンズホルダ９を移動可能に支持した線状部１１ａと、線状部１１ａから分岐しプリントコイル７と電気的に接続される接続部１１ｂと、接続部１１ｂからさらに分岐し、レンズホルダ９の柱状部９ｆの表面に露出したプリントコイルと電気的に接続する接続部１１ｃとを備えている。また、線状弾性部材１１は、サスペンションベース部１０の線状弾性部材固定部１０ｂにサスペンションベース部１０を貫通するように固定され、線状弾性部材１１の貫通した部分は、外部からフォーカス制御やトラッキング制御のための電流が供給される端子１１ｄとなる。つまり、線状弾性部材１１は、レンズホルダ９に対するサスペンション機能の他に、プリントコイル７に電流を供給する配線の機能も合わせて持つ。
【００２８】
レンズホルダ９とサスペンションベース部１０と線状弾性部材１１は、インサート成形によりレンズホルダ９とサスペンションベース部１０を成形する際に一体に成形される。すなわち、図３および図４に示すように線状弾性部材１１の線状部１１ａの一端がサスペンションベース部１０の線状弾性部材固定部１０ｂに内包され、線状部１１ａの他端および接続部１１ｂの一部がレンズホルダ９の固定アーム部９ｄ、凸部９ｅおよび底面部９ｃに内包されるとともに、線状弾性部材１１の他の部分は露出した状態で固定される。
【００２９】
レンズホルダ９に取り付けられたプリントコイル７は、図５に示すように、線状断性部材１１の接続部１１ｂ、１１ｃとはんだ付けされることで電気的に接続される。接続部１１ｃは、レンズホルダ９の柱状部９ｆの表面に面一（同一平面上に段差が無い状態）になるように設けられている。そして、プリントコイル７のランド７ａと線状断性部材１１の接続部１１ｃをハンダで架橋するように接続する。
【００３０】
線状弾性部材１１のコイル部との接続部としての柱状部７ｆは、樹脂の体積が固定アーム部９ｄや凸部９ｅよりも大きいために熱容量が大きくなりはんだ付けの際の熱的なダメージによる樹脂の変形などが起りにくい。
【００３１】
このような構成を持ったアクチュエータ装置３は、ホルダサスペンション８のサスペンションベース部１０に固定されている線状弾性部材１１の端子１１ｄにフォーカス駆動電流やトラッキング駆動電流を流すと、線状断性部材１１を経由してプリントコイル７に電流が流れるため、フォーカス方向の駆動力やトラッキング方向の駆動力を発生させることができ、それにより対物レンズ６を光ディスクの信号が正確に読めるように移動させることができる。
【００３２】
本実施例によれば、ピックアップ装置１のアクチュエータ装置３の、アクチュエータ可動部５のホルダサスペンション８の線状弾性部材１１とプリントコイル７とをハンダ付けなどで電気的に接続する際に、線状弾性部材１１の接続部１１ｃを、線状弾性部材１１がインサート成形されるレンズホルダ９の柱状部９ｆに設けてプリントコイル７のランド７ａと接続する。このようにすることによって、柱状部９ｆは、従来プリントコイル７と線状弾性部材１１との接続部が設けられていた固定アーム部９ｄや凸部９ｅ付近と比較して熱容量が大きいために熱によるダメージを少なくすることができる。
【実施例２】
【００３３】
次に、第２の実施例にかかるアクチュエータ装置３を図６ないし図７を参照して説明する。なお、前述した第１の実施例と同一部分には、同一符号を付して説明を省略する。図７は、図６の矢印Ｙ方向、すなわち、プリントコイル７の方向から見たアクチュエータ可動部５の斜視図である。
【００３４】
本実施例では、図６および図７に示すように、アクチュエータ装置３の、アクチュエータ可動部５のホルダサスペンション８のレンズホルダ９に、重心調節部としてのウェイトバランス部９ｇを設けた点が第１の実施例と異なる。
【００３５】
レンズホルダ９は、光ディスクからの信号を正確に読み取るために、対物レンズ６のレンズ中心に重心が位置する必要がある。そのため、第１の実施例で設けた柱状部９ｆによって、レンズホルダ９の重心がずれてしまう場合は、レンズ中心に対して対称となる位置、すなわち柱状部９ｆとレンズホルダ９の重心を挟んで相対する位置に第２柱状部としてのウェイトバランス部９ｇを設けることによって重心のずれを防止している。
【００３６】
本実施例によれば、レンズホルダ９に、レンズホルダ９の重心を対物レンズのレンズ中心に位置するようにウェイトバランス部９ｇを設けたため、柱状部９ｆによる重心のずれを防止することができる。
【実施例３】
【００３７】
次に、第３の実施例にかかるアクチュエータ装置３を図８ないし図９を参照して説明する。なお、前述した第１、第２の実施例と同一部分には、同一符号を付して説明を省略する。図９は、図８の矢印Ｚ方向、すなわち図８を表面とした場合の裏面から見た斜視図である。
【００３８】
本実施例では、図８および図９に示すように、アクチュエータ装置３の、アクチュエータ可動部５のホルダサスペンション８のレンズホルダ９の固定アーム部９ｄ´と凸部９ｅ´の形状を第１の実施例と異なるように成形した。
【００３９】
固定アーム部９ｄ´は長さを短くして第１の実施例の凸部９ｅのような形状にし、重心調節部としての凸部９ｅ´は長さを延長して先端部に線状弾性部材１１の線状部１１ａの端部が接続されるようにクランク状に形成している。凸部９ｅ´は、レンズホルダ９の重心を挟むように設けられ、その形状はレンズホルダ９の重心を対物レンズ６のレンズ中心にするように成形されている。
【００４０】
このように凸部９ｅ´がクランク状に延ばされたことによって、線形弾性部材１１の振動を抑えることができることに加えて、柱状部９ｆを設けたことによる重心バランスをとることができるようになる。すなわち、重心調節部がレンズホルダ９の重心を挟んで振動抑制部の箱部寄りの端部に設けている。
【００４１】
本実施例によれば、レンズホルダの固定アーム部９ｄ´を短くし、凸部９ｅ´をクランク状に延ばして形成したことで振動抑制部に重心調節部の機能も持たせることができる。さらに、アクチュエータ装置の小型化等により振動抑制部の箱部９ｈからの突出量が制限されても、箱部寄りの端部からレンズホルダ９の重心を挟んで先端部を設けて凸部９ｅ´の長さをより長く構成することで、重心バランスを維持しながらも凸部９ｅ´が線状弾性部材１１の振動を減衰させる効果を向上させることができる。
【００４２】
なお、上述した実施例では、従来、特に熱的ダメージの影響が大きかった部分のみ、箱部９ｈに熱容量の大きい柱状部９ｆを設け、そこに接続部１１ｃを移すようにしたが、他の接続部１１ｂについても箱部９ｈに接続部を設けるようにしても良い。
【００４３】
前述した実施例によれば、以下のアクチュエータ装置が得られる。
【００４４】
（付記１）対物レンズ６と、樹脂で成形されかつ対物レンズ６を収容するレンズホルダ９と、レンズホルダ９を挟んでレンズホルダ９の側面に取り付けられた一対のプリントコイル７と、レンズホルダ９と一体に成形されるとともにプリントコイル７と電気的に接続される線状弾性部材１１と、を備えたアクチュエータ装置３において、
レンズホルダ９が、対物レンズ６を収容する箱部９ｈと、この箱部９ｈから突出して線状弾性部材１１の振動を抑制する振動抑制部９ｄとを備え、
線状弾性部材１１のプリントコイル７との接続部１１ｃが、箱部９ｈに設けられたことを特徴とするアクチュエータ装置３。
【００４５】
このアクチュエータ装置３によれば、接続部１１ｃ付近のレンズホルダ９の熱容量が大きくなることから線状弾性部材１１とプリントコイル７の接合時における高温による温度ダメージを少なくすることができる。
【００４６】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００４７】
【図１】本発明の第１の実施例にかかる光ピックアップ装置の要部斜視図である。
【図２】本発明の第１の実施例にかかるアクチュエータ装置の要部斜視図である。
【図３】図２に示されたアクチュエータ装置のアクチュエータ可動部の斜視図である。
【図４】図３に示されたアクチュエータ可動部をＺ方向から見た斜視図である。
【図５】図４のＩ−Ｉ線に沿う断面図である。
【図６】本発明の第２の実施例にかかるアクチュエータ装置のアクチュエータ可動部の斜視図である。
【図７】図６に示されたアクチュエータ可動部をＹ方向から見た斜視図である。
【図８】本発明の第３の実施例にかかるアクチュエータ装置のアクチュエータ可動部の斜視図である。
【図９】図８に示されたアクチュエータ可動部をＺ方向から見た斜視図である。
【符号の説明】
【００４８】
１        光ピックアップ装置
３        アクチュエータ装置
６        対物レンズ
７        プリントコイル（コイル部）
９        レンズホルダ（レンズ収容部）
９ｄ      固定アーム部（振動抑制部）
９ｄ´    固定アーム部（振動抑制部）
９ｅ      凸部（振動抑制部）
９ｅ´    凸部（振動抑制部、重心調節部）
９ｆ      柱状部
９ｇ      ウェイトバランス部（重心調節部、第２柱状部）
９ｈ      箱部
１１      線状弾性部材
１１ｃ    接続部（線状弾性部材のコイル部との接続部）
【図１】
2008103002.tif 000003
【図２】
2008103002.tif 000004
【図３】
2008103002.tif 000005
【図４】
2008103002.tif 000006
【図５】
2008103002.tif 000007
【図６】
2008103002.tif 000008
【図７】
2008103002.tif 000009
【図８】
2008103002.tif 000010
【図９】
2008103002.tif 000011